(57)【要約】【課題】光伝送装置及び光送信レベル制御方法に関し、対向装置の受信器で適正な光受信レベルとなるよう送信レベルを制御し、１対多の双方向光伝送装置におけるテールカレントの影響を低減し、また、必要とされる受信レベルが得られる最小のパワーで送信発光素子を発光させる。【解決手段】Ａ局装置において、光送信レベルの絶対値を表す信号で周波数変調（１４）を行った光信号を送信し、Ｂ局装置において、該周波数変調が行われた光信号の復調（１９）により、Ａ局装置における光送信レベルの絶対値を検出し、Ａ局装置から送信され、伝送路を経由してＢ局装置において受信される光信号の平均受信レベルを検出（２０）し、Ａ局装置における光送信レベルの絶対値とＢ局装置における平均受信レベルとの差から伝送路損失を検出（２１）し、伝送路損失に応じてＢ局装置からＡ局装置へ送信する光送信レベルを電流駆動回路（１６）により制御する。【選択図】      図１
2006005516.tif 000002
【特許請求の範囲】
【請求項１】
対向光伝送装置と伝送路により接続された光伝送装置であって、
前記対向光伝送装置において光送信レベルの絶対値を表す信号で周波数変調が行われた光信号を受信し、該周波数変調が行われた光信号の復調により、対向光伝送装置における光送信レベルの絶対値を検出する手段と、
前記対向する光伝送装置から送信され、前記伝送路を経由して受信される光信号の平均受信レベルを検出する手段と、
前記対向光伝送装置における光送信レベルの絶対値と前記平均受信レベルとの差から伝送路損失を検出する手段と、
前記伝送路損失に応じて、前記対向光伝送装置への光送信レベルを制御する手段と、
を備えたことを特徴とする光伝送装置。
【請求項２】
前記対向光伝送装置と１本又は１対の伝送路により接続され、該対向光伝送装置と１対１の双方向伝送を行う光伝送装置であることを特徴とする請求項１に記載の光伝送装置。
【請求項３】
前記対向光伝送装置は、他の複数の光伝送装置とそれぞれの伝送路により接続された１対多の双方向伝送を行う光伝送装置であり、該対向光伝送装置とスターカプラを介して接続された光伝送装置であることを特徴とする請求項１に記載の光伝送装置。
【請求項４】
伝送路により接続された第１及び第２の光伝送装置における光送信レベル制御方法であって、
前記第１の光伝送装置において、光送信レベルの絶対値を表す信号で周波数変調を行った光信号を送信し、前記第２の光伝送装置において、該周波数変調が行われた光信号の復調により、前記第１の光伝送装置における光送信レベルの絶対値を検出するステップと、
前記第１の光伝送装置から送信され、前記伝送路を経由して前記第２の光伝送装置において受信される光信号の平均受信レベルを検出するステップと、
前記第１の光伝送装置における光送信レベルの絶対値と前記第２の光伝送装置における平均受信レベルとの差から伝送路損失を検出するステップと、
前記伝送路損失に応じて、前記第２の光伝送装置から第１の光伝送装置へ送信する光送信レベルを制御するステップと、
を有することを特徴とする光送信レベル制御方法。
【請求項５】
前記第１の光伝送装置は、前記第２の光伝送装置へ送信する前記周波数変調を行った光信号の光送信レベルを徐々に上げていき、前記第２の光伝送装置において、前記第１の光伝送装置からの光受信入力が検出されたときに、前記算出により得られる伝送路損失に応じて、前記第２の光伝送装置から第１の光伝送装置へ光送信レベルを制御して光送信を送信するステップを有することを特徴とする請求項４に記載の光送信レベル制御方法。
【請求項６】
前記第１及び第２の光伝送装置は、１本又は１対の伝送路により接続され、１対１の双方向伝送を行う光伝送装置であり、該光伝送装置の光信号に対して光送信レベルを制御することを特徴とする請求項４又は５に記載の光送信レベル制御方法。
【請求項７】
前記第１はスターカプラを介して複数の第２の光伝送装置にそれぞれの伝送路を介して接続され、第１及び第２の光伝送装置の間で１対多の双方向伝送を行う光伝送装置であり、該第１の光伝送装置への光信号に対して光送信レベルを制御することを特徴とする請求項４又は５に記載の光送信レベル制御方法。
【発明の詳細な説明】
【技術分野】
【０００１】
本発明は、光伝送装置及び光送信レベル制御方法に関し、特に、１対１（Ｐｏｉｎｔ  ｔｏ  Ｐｏｉｎｔ）又は１対多（Ｐｏｉｎｔ  ｔｏ  Ｍｕｌｔｉｐｏｉｎｔ）の双方向光伝送システムにおける光伝送装置及びその光送信レベル制御方法に関する。
【背景技術】
【０００２】
従来、光伝送装置の光送信レベルは一定に設定されているため、対向装置の受信器は伝送路損失によって変動する光受信レベルをＡＧＣ（Ａｕｔｏ  Ｇａｉｎ  Ｃｏｎｔｒｏｌ）回路によって補償することにより、光信号の識別再生を行っている。
【０００３】
また、局装置１台に対し、スターカプラを介し、複数の加入者装置が任意の設置距離にて接続される１対多（Ｐｏｉｎｔ  ｔｏ  Ｍｕｌｔｉｐｏｉｎｔ）光伝送装置では、通常、加入者装置の光送信レベルは一定に設定してあるため、局装置の光受信レベルは、加入者装置毎にそれぞれ異なる。
【０００４】
このため、局装置は異なる光受信レベルに速やかに追従して増幅利得を制御し、一定の電圧振幅を出力するＡＧＣ回路により光受信レベルを補償して光受信信号の識別再生を行っている。さらに、加入者毎の光信号検出を高速で行うことにより、伝送容量の増大化を図っている。
【０００５】
本発明に関連する先行技術文献として以下のものがある。下記の特許文献１には、他局の光送信器の光出力レベルと自局の光受信器が受光した光レベルとの差から伝送損失を検出してそれを基に自局の光出力レベルを制御する双方向光伝送装置について記載されている。
【０００６】
下記の特許文献２には、対向装置の光受信部の出力の平均値を検出し、該平均値を基に半導体レーザの光出力信号のパルス幅の変動を制御する光伝送装置について記載されている。下記の特許文献３には、親局から受信したバースト信号の光受信レベルを基に、子局側で自動的に光送信レベルを制御する光バースト送受信回路について記載されている。
【０００７】
上述の各特許文献を以下に示す。
【特許文献１】特開平５−３００３０号公報
【特許文献２】特開平８−３４０３０４号公報
【特許文献３】特開平１０−１６３９６０号公報
【発明の開示】
【発明が解決しようとする課題】
【０００８】
光伝送装置は、通常、予め設定された光送信レベルを送出するため、対向装置間毎の伝送路損失により対向装置で受信される光受信レベルは変動する。対向装置の受信器は変動する伝送路損失に対応したダイナミックレンジを有することが必要となるため、ＡＧＣ回路の設計が煩雑になる。
【０００９】
また、局装置１台に対し、スターカプラを介して複数の加入者装置が任意の設置距離にて接続される１対多（Ｐｏｉｎｔ  ｔｏ  Ｍｕｌｔｉｐｏｉｎｔ）光伝送装置では、通常、加入者装置から送出する光送信レベルは一定に設定してあるため、局装置での光受信レベルは加入者装置毎に異なる。
【００１０】
このため、局装置は加入者装置毎に異なる受信レベルに速やかに追従して増幅利得を制御し、加入者装置毎の信号検出を高速で処理する必要があるため、ＡＧＣ回路の設計が複雑なものとなる。また、加入者装置間の光受信レベル差が大きいほど、受信素子によってはテールカレントが大きくなるため、高速動作を行うことが困難になる。
【００１１】
光伝送装置は、通常、最悪の伝送路損失を想定して高い出力レベルで光信号を送信するため、伝送路損失が少ない場合、発光素子を余分なパワーで発光させているため、その分、発光素子の寿命を短くしていることになる。また、光伝送装置は、通常、最悪の伝送路損失を想定した高い光送信レベルを送出するため、少ない伝送路損失の場合、対向装置の光受信レベルが高くなり、受光素子の破壊を起す可能性がある。
【００１２】
本発明は、対向装置の受信器で適正な光受信レベルとなるよう送信レベルを制御し、また、１対多の双方向光伝送を行う光伝送装置において、１台側の光伝送装置における光受信レベルをほぼ一定にし、複数台の光伝送装置から受信される光バースト信号に対するテールカレントの影響を低減し、また、対向装置で必要とされる受信レベルが得られる最小のパワーで発光素子を発光させ、それによって自装置の発光素子の寿命を延ばし、また、対向装置の受光素子の破壊を防ぐこと目的とする。
【課題を解決するための手段】
【００１３】
光伝送装置間の伝送路損失を自動的に特定することができれば、自装置の光送信レベルを伝送路損失に応じて制御し、対向装置での光受信レベルをほぼ一定にすることができる。伝送路損失を検出する手段として、まず、対向装置から送信信号を光送信レベルの絶対値に応じた周波数変調を行って送信し、それを受信した伝送装置はその周波数変調された光信号を復調し、光送信レベルの絶対値を検出する。
【００１４】
光伝送装置間の伝送路損失によって減衰した光受信レベルを、従来技術である平均値検出によって検出し、光送信レベルの絶対値と光受信レベルの平均値との差を算出することによって、伝送路損失を検出することができる。
【００１５】
双方向光伝送装置において、対向装置にも同様の光送信レベル制御手段を備えた場合、検出された伝送路損失により、自装置の光送信レベルを決定して、その絶対値に応じて周波数変調を行って送信することにより、双方向光伝送装置の対向装置で相互に光送信レベルを制御することが可能となる。
【００１６】
また、通信開始時（例えば、電源投入時）の光送信レベルを低いレベルに調整しておき、経過時間とともに徐々に光送信レベルを上げて送信する。対向装置では受信可能な光受信レベルの入力を検出したときに、周波数変調された光送信レベルの絶対値情報と光受信信号の平均値検出値とによって伝送路損失を検出し、該伝送路損失に応じた光送信レベルを送出する。
【００１７】
また、双方向光伝送装置において、対向装置にも同様の光送信レベル制御手段を有する場合、どちらか一方の光伝送装置が先に光送信レベルを決定することができさえすれば、その対向装置も同様の手法により伝送路損失に応じた最低の光送信レベルを決定することが可能となる。
【００１８】
即ち、本発明による光伝送装置は、（１）対向光伝送装置と伝送路により接続された光伝送装置であって、前記対向光伝送装置において光送信レベルの絶対値を表す信号で周波数変調が行われた光信号を受信し、該周波数変調が行われた光信号の復調により、対向光伝送装置における光送信レベルの絶対値を検出する手段と、前記対向する光伝送装置から送信され、前記伝送路を経由して受信される光信号の平均受信レベルを検出する手段と、前記対向光伝送装置における光送信レベルの絶対値と前記平均受信レベルとの差から伝送路損失を検出する手段と、前記伝送路損失に応じて、前記対向光伝送装置への光送信レベルを制御する手段と、を備えたものである。
【００１９】
また、（２）前記対向光伝送装置と１本又は１対の伝送路により接続され、該対向光伝送装置と１対１の双方向伝送を行う光伝送装置である。また、（３）前記対向光伝送装置は、他の複数の光伝送装置とそれぞれの伝送路により接続された１対多の双方向伝送を行う光伝送装置であり、該対向光伝送装置とスターカプラを介して接続された光伝送装置である。
【００２０】
また、本発明による光送信レベル制御方法は、（４）伝送路により接続された第１及び第２の光伝送装置における光送信レベル制御方法であって、前記第１の光伝送装置において、光送信レベルの絶対値を表す信号で周波数変調を行った光信号を送信し、前記第２の光伝送装置において、該周波数変調が行われた光信号の復調により、前記第１の光伝送装置における光送信レベルの絶対値を検出するステップと、前記第１の光伝送装置から送信され、前記伝送路を経由して前記第２の光伝送装置において受信される光信号の平均受信レベルを検出するステップと、前記第１の光伝送装置における光送信レベルの絶対値と前記第２の光伝送装置における平均受信レベルとの差から伝送路損失を検出するステップと、前記伝送路損失に応じて、前記第２の光伝送装置から第１の光伝送装置へ送信する光送信レベルを制御するステップと、を有するものである。
【００２１】
また、（５）前記第１の光伝送装置は、前記第２の光伝送装置へ送信する前記周波数変調を行った光信号の光送信レベルを徐々に上げていき、前記前記第２の光伝送装置において、前記第１の光伝送装置からの光受信入力が検出されたときに、前記算出により得られる伝送路損失に応じて、前記第２の光伝送装置から第１の光伝送装置へ光送信レベルを制御して光送信を送信するステップを有するものである。
【００２２】
また、（６）前記第１及び第２の光伝送装置は、１本又は１対の伝送路により接続され、１対１の双方向伝送を行う光伝送装置であり、該光伝送装置の光信号に対して光送信レベルを制御するものである。また、（７）前記第１はスターカプラを介して複数の第２の光伝送装置にそれぞれの伝送路を介して接続され、第１及び第２の光伝送装置の間で１対多の双方向伝送を行う光伝送装置であり、該第１の光伝送装置への光信号に対して光送信レベルを制御するものである。
【発明の効果】
【００２３】
本発明によれば、光伝送装置自体が伝送路損失を検出し、該伝送路損失に応じて光送信レベルを決定して送信するため、対向装置の受信器は、伝送路損失が種々異なる場合であっても、ほぼ同一の光受信レベルとなり、ダイナミックレンジとして要求される利得幅が低減され、ＡＧＣ回路を簡素化することができる。
【００２４】
また、本発明によれば、１対多の双方向光伝送を行う光伝送装置において、１台側の光伝送装置における光受信レベルをほぼ同一にすることができるため、複数台の光伝送装置から受信される光バースト信号に対するテールカレントの影響を低減することができる。また、ほぼ同一の光受信レベルとなり、ダイナミックレンジとして要求される利得幅が低減され、ＡＧＣ回路を簡素化することができる。
【００２５】
また、本発明によれば、光伝送装置自身で送信レベルを徐々に上げて、受信入力検出に必要なレベルを判定し、かつ、伝送路損失に応じた光送信レベルを設定することにより、対向装置で必要とされる受信レベルが得られる最小のパワーで発光素子を発光させる。それによって自装置の発光素子の寿命を延ばすことができ、また、対向装置の受光素子の破壊を防ぐことができる。
【発明を実施するための最良の形態】
【００２６】
１対多（Ｐｏｉｎｔ  ｔｏ  Ｍｕｌｔｉｐｏｉｎｔ）光伝送装置の場合、局装置１台に対しスターカプラを介して複数台の加入者装置が任意の設置距離にて接続される。伝送路損失を検出する手段として、局装置で送信信号を光送信レベルの絶対値に応じた周波数変調を行って対向装置に送出し、加入者装置ではその周波数変調された光信号を復調し、光送信レベルの絶対値を検出する。
【００２７】
光伝送装置間の伝送路損失によって減衰した光受信レベルを、従来技術である平均値検出によって検出し、光送信レベルの絶対値と光受信レベルの平均値との差を算出することにより、伝送路損失を検出する。各加入者装置は、該伝送路損失に応じて光送信レベルを制御して局装置に光信号を送信する。これにより、局装置では任意の距離に設置された各加入者装置からの光受信レベルはほぼ一定となる。
【００２８】
局装置からの光信号は、接続される加入者装置に対し、ブロードキャストで送信される。そのため、局装置の光送信レベルを各加入者装置に対して最適化したとしても、受信する加入者装置は光受信レベルの異なる光信号に追従する必要があり、受信回路の設計は簡素化されない。従って、局装置では伝送路損失検出を行うことなく、一定の光送信レベルで送信することとする。
【００２９】
以下、図面を参照して本発明の実施形態について説明する。図１は本発明の第１の形態を示す。同図はＡ局装置及びＢ局装置に設置され、２つの伝送路２３及び２４によって接続された２心型ＭＣ（Ｍｅｄｉａ  Ｃｏｎｖｅｒｔｅｒ）としての光伝送装置の構成例を示す。この２つの伝送装置は同一の回路機能を有している。ここで一例として、Ｂ局装置における光送信レベル制御の動作について説明する。
【００３０】
まず、通信開始時（例えば電源投入時）に、Ａ局装置の送信部１は、オフレベルライトから、図４の（ａ）に示すように、時問経過とともに光送信レベルをリニアに増大させて送信し、かつ、変調回路１４によって光送信レベルに応じて周波数変調を行うことにより、光送信レベルの絶対値情報を追加して送信する。
【００３１】
光送信レベルに応じた周波数変調の様態を図５に示している。同図の（ａ）は送信レベルが高出力の場合の周波数変調出力信号を示し、同図の（ｂ）は送信レベルが低出力の場合の周波数変調出力信号を示している。また、同図の（ｃ）は送信レベルの絶対値と変調周波数との関係を示している。
【００３２】
なお、時問経過とともに光送信レベルをリニアに増大させる際に、無限に光送信レベルを上げることは実際には不可能であり、また、Ｂ局装置の受光素子１７を破壊する可能性があるため、上限を設ける必要がある。
【００３３】
図１において、Ａ局装置から送信された光信号は光伝送路２３を経由し、Ｂ局装置の受信部５に入力され、ＰＤ（Ｐｈｏｔｏ  Ｄｉｏｄｅ）等の受光素子１７にて光電気変換が行われ、増幅回路１８にて波形整形され、電気信号として出力される。また、増幅回路１８から電気信号出力を分岐し、復調回路１９及び平均値検出回路２０のそれぞれに入力する。
【００３４】
復調回路１９において、Ａ局装置で周波数変調された光送信レベルの絶対値情報を復調し、また、平均値検出回路２０において、伝送路２３の損失によって減衰した光受信レベルを検出する。そして、光送信レベルの絶対値情報と光受信レベルとを伝送路損失検出回路２１に入力し、伝送路損失検出回路２１はその差を基に伝送路２３の伝送路損失を求める。
【００３５】
伝送路損失検出回路２１で求めた伝送路損失に応じて電流駆動回路１６の電流を制御し、該電流駆動回路１６は該制御された電流によりＬＤ（Ｌａｓｅｒ  Ｄｉｏｄｅ）等の発光素子１５を発光させ、これによって、伝送路損失に応じた最適な光送信レベルでＢ局装置からの光信号を出力する。そのとき、Ｂ局装置にて検出した伝送路損失情報により決定されるＢ局装置からの光送信レベルの情報をＡ局に通知するために、変調回路２２により該光送信レベルに応じて周波数変調を行い、該光送信レベル絶対値情報を迫加してＡ局装置に送信する。これにより、Ａ局装置は、伝送路２４の伝送路損失に応じた最適な光受信レベルとなる。
【００３６】
図４の（ｂ）はＢ局装置の平均受信レベルを示し、同図（ｃ）は光受信入力の検出の有無を示し、同図の（ｄ）はＢ局装置における光受信入力検出後のＡ局装置への光送信レベルを示している。このように、Ａ局装置で経過時間とともに徐々に光送信レベルを上げて送信し、対向するＢ局装置では受信可能な光受信レベルを検出したときに、周波数変調された光送信レベルの絶対値情報と光受信信号の平均値検出値とによって伝送路損失を検出し、該伝送路損失に応じた光送信レベルを送出する。Ａ局装置はＢ局装置からの光信号の受信により、光送信レベルの漸増動作を停止し、以降、その光送信レベルで送信する。
【００３７】
図２は本発明の第２の実施形態を示す。この第２の実施形態の光伝送装置は、図１に示したＡ局装置及びＢ局装置を、波長分割多重（ＷＤＭ：Ｗａｖｅｌｅｎｇｔｈ  Ｄｉｖｉｓｉｏｎ  Ｍｕｌｔｉｐｌｅｘｉｎｇ）カプラ２５及び２６と、１本の伝送路２７とによって接続した１心型ＭＣ（Ｍｅｄｉａ  Ｃｏｎｖｅｒｔｅｒ）としたものである。
【００３８】
ここで、Ａ局装置及びＢ局装置の送信信号の波長が同一波長の場合、伝送路２７において反射点があると、Ａ局装置の受信部２及びＢ局装置の受信部５において自装置からの送信信号の反射光が雑音源となり、受信感度に影響を与える。また、伝送路２７にて使用されるコネクタが外れたときなど、コネクタからの反射光を受信してしまい、伝送路断を判断できない場合が生じる。
【００３９】
そこで一例として、Ａ局装置の光送信波長をλ１（１．４９μｍ）、Ｂ局装置の光送信波長をλ２（１．３μｍ）とし、Ａ局装置では光送信波長λ１の光信号のみを伝送路２７に透過させ、伝送路２７からＢ局装置の光送信波長λ２の光信号のみを受信部２に透過させるＷＤＭカプラ２５を備え、また、Ｂ局装置では光送信波長λ２の光信号のみを伝送路２７に透過させ、伝送路２７からＡ局装置の光送信波長λ１の光信号のみを受信部５に透過させるＷＤＭカプラ２６を備えることにより、１本の伝送路２７によって光双方向伝送が可能となる。
【００４０】
光送信波長によって伝送路２７の伝送路損失は、図７に示すように変化するため、本発明の第２の実施形態により通信を行なう場合、伝送路損失検出回路１３又は２１には、使用する光波長の違いに応じて伝送路損失の補正を行う機能を付加する必要がある。
【００４１】
図３は本発明の第３の実施形態を示す。本発明の第３の実施形態は、１台の局装置に対してスターカプラ２８を介し、短距離の伝送路２９、長距離の伝送路３０及び中距離の伝送路３１によりそれぞれ接続された加入者装置３２、３３、３４有するＰＯＮ（Ｐａｓｓｉｖｅ  Ｏｐｔｉｃａｌ  Ｎｅｔｗｏｒｋ）システムのように、１対多（Ｐｏｉｎｔ  ｔｏ  Ｍｕｌｔｉｐｏｉｎｔ）光伝送システムである。
【００４２】
局装置からの光信号はスターカプラ２８を介し、加入者装置３２、３３、３４にブロードキャストにより送信され、その際、最大伝送路損失を考慮した一定の光送信レベルに設定して送信される。また、局装置の変調回路１４によって光送信レベルに応じた周波数変調を行うことにより、光送信レベルの絶対値情報を追加して送信する。
【００４３】
各加入者装置から送信される各光信号は、局装置に到達するまでに互いに重なり合うことがないように、送信タイミング位置を制御したバースト伝送により送信されるため、加入者装置毎に距離に応じて伝送路損失が異なると、局装置の受信部２において受信される光受信レベルはそれぞれ異なり、受信器のダイナミックレンジを広く設定しておく必要がある。
【００４４】
図８に局装置の光受信レベルとテールカレントの具体例を示す。同図の（ａ）は局装置における受信レベル、同図の（ｂ）はテールカレントを示している。一般的に、バースト信号を受信した受光素子にはテールカレントと呼ばれる電流が生じる現象が起こり、バースト信号の後端にテールカレントという電流が電気信号出力に現れる。
【００４５】
このテールカレントが流れる期間は、バースト信号の光受信レベルが高いほど長く、光受信レベルの高いバースト信号を受信した後に光受信レベルの低い光信号を受信した場合、図８の（ｂ）に示すように、前のバースト信号のテールカレントが後のバースト信号に重なって、後のバースト信号の信号識別ができなくなる場合が存在する。
【００４６】
テールカレントは時間とともに減衰するので、バースト信号の送出間隔を広くすることにより、テールカレントによる影響を防ぐことができるが、バースト信号の送出間隔を広くすることにより伝送容量が少なくなってしまう。このような場合に対して、本発明の光送信レベルの制御を適用し、加入者装置からの光送信レベルを伝送路損失に応じて制御することにより、各加入者装置からのバースト信号の局装置における光受信レベルを、図９の（ａ）に示すように揃えることができ、局装置の受信器のダイナミックレンジを小さくし、また、図９（ｂ）に示すようにテールカレントの影響を軽減することが可能となる。
【００４７】
本発明で使用する周波数変調回路の具体例を図６の（ａ）に、復調回路の具体例を同図の（ｂ）に、平均値検出回路の具体例を同図の（ｃ）に、伝送路損失検出回路の具体例を同図の（ｄ）に示している。
【図面の簡単な説明】
【００４８】
【図１】本発明の第１の形態（２心型ＭＣ）を示す図である。
【図２】本発明の第２の実施形態（１心型ＭＣ）を示す図である。
【図３】本発明の第３の実施形態（１心型ＰＯＮ）を示す図である。
【図４】本発明による送信レベル及び受信平均レベル等を示す図である。
【図５】本発明による光送信レベルに応じた周波数変調の様態を示す図である。
【図６】本発明における周波数変調回路等の構成例を示す図である。
【図７】光送信波長と伝送路損失との関係を示す図である。
【図８】局装置の受信レベルとテールカレントの具体例を示す図である。
【図９】本発明による局装置の受信レベルとテールカレントの具体例を示す図である。
【符号の説明】
【００４９】
１，４  送信部
２，５  受信部
３，６  検出部
７，１５  発光素子ＬＤ（Ｌａｓｅｒ  Ｄｉｏｄｅ）
８，１６  入力された電気信号に追従してＬＤを発光させるための電流駆動回路
９，１７  受光素子ＰＤ（Ｐｈｏｔｏ  Ｄｉｏｄｅ）
１０，１８  ＰＤによって光−電流変換された信号を電圧変換し、増幅させる増幅回路
１１，１９  周波数変換された信号を復調するための復調回路
１２，２０  受信レベルの平均値を検出するための平均値検出回路
１３，２１  復調回路と平均値検出回路からの電圧信号を比較し、伝送路損失を算出するための伝送路損失検出回路
１４，２２  伝送路損失検出回路によって算出された値により周波数変調を行う変調回路
２３，２４，２７，２９，３０，３１  光伝送媒体
２５，２６  ＷＤＭカプラ
２８  光受動分配器
３２，３３，３４  加入者装置
【図１】
2006005516.tif 000003
【図２】
2006005516.tif 000004
【図３】
2006005516.tif 000005
【図４】
2006005516.tif 000006
【図５】
2006005516.tif 000007
【図６】
2006005516.tif 000008
【図７】
2006005516.tif 000009
【図８】
2006005516.tif 000010
【図９】
2006005516.tif 000011